(57)【要約】【課題】  洗車中の乾燥行程で、乾燥用エアノズルが発生する音が外部に放出するのを防ぎ、洗車場の近隣に対する騒音レベルを低減すること。【解決手段】  車両１の出入口を備えた洗車室１３の内部に乾燥用エアノズル１５を装備してなる洗車機１０の防音装置において、洗車室１３の内部で乾燥用エアノズル１５を前後から挟む天井側に前後の防音カーテン２１、２２を設置し、洗車中の乾燥行程で車両の上面に合せて両防音カーテン２１、２２を昇降動作し、乾燥用エアノズル１５が発生する音を両防音カーテン２１、２２により外部に対し遮断可能にするもの。【選択図】  図１
2008049913.tif 000002
【特許請求の範囲】
【請求項１】
車両の出入口を備えた洗車室の内部に乾燥用エアノズルを装備してなる洗車機の防音装置において、
洗車室の内部で乾燥用エアノズルを前後から挟む天井側に前後の防音カーテンを設置し、洗車中の乾燥行程で車両の上面に合せて両防音カーテンを昇降動作し、乾燥用エアノズルが発生する音を両防音カーテンにより外部に対し遮断可能にすることを特徴とする洗車機の防音装置。
【請求項２】
前記車両の車両高さを検出する車両高さ検出装置を有するとともに、
洗車機の車両に対する走行位置を検出する走行位置検出装置を有し、
車両高さ検出装置と走行位置検出装置の検出結果に基づき、前記両防音カーテンを車両の上面に合せて昇降動作する洗車制御装置を有する請求項１に記載の洗車機の防音装置。
【請求項３】
前記洗車室の内部に洗車ブラシを装備してなり、前記両防音カーテンのうちの一方の防音カーテンが乾燥用エアノズルと洗車ブラシとの間に設置され、この乾燥用エアノズルと洗車ブラシとの間に設置された防音カーテンが、洗車中の洗浄ブラッシング行程で車両の上面に合せて昇降動作する請求項１又は２に記載の洗車機の防音装置。
【発明の詳細な説明】
【技術分野】
【０００１】
本発明は洗車機の防音装置に関する。
【背景技術】
【０００２】
従来の洗車機では、特許文献１に記載の如く、車両の出入口を備えた洗車室の内部に乾燥用エアノズルを装備している。
【特許文献１】特開2002-331920
【発明の開示】
【発明が解決しようとする課題】
【０００３】
従来の洗車機では、乾燥用エアノズルが発生する音が外部に放出される騒音となり、これが洗車場の近隣住民への負担となる。そのような事情により洗車機を導入できない場合もある。
【０００４】
尚、特許文献１の洗車機では、洗車室の入口と出口のそれぞれにカーテンを設け、洗車していないときに、カーテンを閉じ状態にし、洗車室を外部に対し遮断可能にしている。しかしながら、乾燥用エアノズルを駆動する洗車中には、カーテンを開く必要があり、乾燥用エアノズルが発生する音が外部に放出するのを防ぐことはできない。
【０００５】
本発明の課題は、洗車中の乾燥行程で、乾燥用エアノズルが発生する音が外部に放出するのを防ぎ、洗車場の近隣に対する騒音レベルを低減することにある。
【課題を解決するための手段】
【０００６】
請求項１の発明は、車両の出入口を備えた洗車室の内部に乾燥用エアノズルを装備してなる洗車機の防音装置において、洗車室の内部で乾燥用エアノズルを前後から挟む天井側に前後の防音カーテンを設置し、洗車中の乾燥行程で車両の上面に合せて両防音カーテンを昇降動作し、乾燥用エアノズルが発生する音を両防音カーテンにより外部に対し遮断可能にするようにしたものである。
【０００７】
請求項２の発明は、請求項１の発明において更に、前記車両の車両高さを検出する車両高さ検出装置を有するとともに、洗車機の車両に対する走行位置を検出する走行位置検出装置を有し、車両高さ検出装置と走行位置検出装置の検出結果に基づき、前記両防音カーテンを車両の上面に合せて昇降動作する洗車制御装置を有するようにしたものである。
【０００８】
請求項３の発明は、請求項１又は２の発明において更に、前記洗車室の内部に洗車ブラシを装備してなり、前記両防音カーテンのうちの一方の防音カーテンが乾燥用エアノズルと洗車ブラシとの間に設置され、この乾燥用エアノズルと洗車ブラシとの間に設置された防音カーテンが、洗車中の洗浄ブラッシング行程で車両の上面に合せて昇降動作するようにしたものである。
【発明の効果】
【０００９】
（請求項１）
(a)洗車中の乾燥行程で車両の上面に合せて、乾燥用エアノズルを前後から挟む前後の防音カーテンを昇降動作し、乾燥用エアノズルが発生する音を両防音カーテンにより外部に対し遮断する。従って、乾燥用エアノズルが発生する音が外部に放出するのを防ぎ、洗車場の近隣に対する騒音レベルを低減できる。
【００１０】
(b)寒冷地における洗車中の乾燥行程で、車両の上面に合せて昇降動作する防音カーテンが、洗車室の内部における風（外気の風、又は洗車中の乾燥用エアノズルからの風）の通り抜けも防ぎ、洗車室の周辺に装備してある洗車用機器に付着等していた水の気化熱による凍結を抑制できる。水配管の凍結、各種センサの凍結、洗車ブラシの凍結を防止できる。
【００１１】
（請求項２）
(c)洗車機が車両に対して相対移動するとき、洗車制御装置が、車両高さ検出装置と走行位置検出装置の検出結果に基づき、防音カーテンを車両の上面に合せて昇降動作できる。
【００１２】
（請求項３）
(d)洗車室の内部に洗車ブラシを装備してなり、両防音カーテンのうちの一方の防音カーテンが乾燥用エアノズルと洗車ブラシとの間に設置され、この乾燥用エアノズルと洗車ブラシとの間に設置された防音カーテンが、洗車中の洗浄ブラッシング行程で車両の上面に合せて昇降動作する。従って、洗車ブラシから飛散する洗浄水が、乾燥用エアノズルによる車両の乾燥域へ及ぶのを防止できる。
【００１３】
(e)寒冷地における洗車中の洗浄ブラッシング行程で、車両の上面に合せて昇降動作する防音カーテンが、洗車室の内部における外気の風の通り抜けを防ぎ、洗車室の周辺に装備してある洗車用機器に付着等していた水の気化熱による凍結を抑制できる。特に、洗車ブラシに供給される洗浄水の気化熱による凍結を抑制できる。
【発明を実施するための最良の形態】
【００１４】
図１は実施例１の洗車機の防音装置を示す模式図、図２は洗車中の洗車ブラッシング行程の防音装置を示す模式図、図３は洗車中の乾燥行程の防音装置を示す模式図、図４は実施例２の洗車機の防音装置を示す模式図、図５は洗車中の乾燥行程の防音装置を示す模式図である。
【実施例】
【００１５】
（実施例１）（図１〜図３）
洗車機１０は、図１に示す如く、左右の走行レール上を往復走行することにて両レールの間の床面上に停車させた車両１（図２、図３）を跨いで、車両１の前後方向に沿って走行する門型走行フレーム１１を有する。即ち、走行フレーム１１は、車両１の出入口（入口１２Ａ、出口１２Ｂ）を備え、車両１を収容する洗車室１３を形成する。
【００１６】
洗車機１０は、洗車室１３の周辺に洗車用機器を装備してある。即ち、走行フレーム１１に水配管、洗浄水供給ノズル、各種センサを備える他、洗車ブラシ１４（トップブラシ１４Ａ、サイドブラシ１４Ｂ）、乾燥用エアノズル１５（トップノズル１５Ａ、サイドノズル１５Ｂ）を備える。
【００１７】
洗車機１０は、洗車室１３の内部で乾燥用エアノズル１５を前後から挟む天井側に前後の防音カーテン２１、２２を設置してある。両防音カーテン２１、２２は、後述する洗車制御装置３０により制御されるカーテン巻取装置３１により、乾燥用エアノズル１５が駆動されている洗車中の乾燥行程で、車両１の上面に合せて昇降動作され、乾燥用エアノズル１５が発生する音を外部に対し遮断する。
【００１８】
洗車機１０において、両防音カーテン２１、２２のうちの防音カーテン２１は洗車室１３の出口１２Ｂに設置し、防音カーテン２２は洗車ブラシ１４と乾燥用エアノズル１５との間に設置するものとした。そして、両防音カーテン２１、２２のうちの少なくとも防音カーテン２２が洗車ブラシ１４を用いた洗車中の洗浄ブラッシング行程で車両１の上面に合せて昇降動作されるものとした。
【００１９】
洗車機１０は、洗車制御装置３０に付帯する車両高さ検出装置４１、走行位置検出装置４２を有する。車両高さ検出装置４１は、走行フレーム１１に設けられ、例えば車両１を挟む両側にて相対する投光センサ４１Ａと受光センサ４１Ｂからなり、投光センサ４１Ａと受光センサ４１Ｂが上下方向に沿うセンサラインに沿って多数の検出光軸を共有するものにて構成され、投光センサ４１Ａの各検出光軸からの投光が車両１に遮られるか否かを受光センサ４１Ｂで検出することにより、検出ライン上での車両１の有無、ひいては車両１の上面高さを検出する。走行位置検出装置４２は、走行フレーム１１の走行レール上での現在位置を検出するものであり、例えば走行フレーム１１の走行モータに設けたロータリエンコーダにて構成される。洗車制御装置３０は、マイクロコンピュータを備え、車両高さ検出装置４１や走行位置検出装置４２の検出結果を参照して洗車ブラシ１４、乾燥用エアノズル１５等の洗車用機器を制御し、車両１の洗車を行なう。
【００２０】
しかるに、洗車制御装置３０は、車両高さ検出装置４１と走行位置検出装置４２の検出結果に基づきカーテン巻取装置３１を制御し、両防音カーテン２１、２２を以下の如くに昇降動作する（図２、図３）。尚、図２、図３の洗車機１０は、図１の洗車機１０と同一であり、洗車ブラシ１４、車両高さ検出装置４１等は図示省略されている。
【００２１】
(A)洗車していないとき
洗車していないとき、両防音カーテン２１、２２のうちの少なくとも一方を下降端に位置付ける。それらの防音カーテン２１、２２が防風カーテンとして機能し、洗車室１３の内部における外気の風の通り抜けを遮断するものになり、洗車室１３の周辺に装備してある洗車用機器に付着等していた水の気化熱による凍結を抑制できる。
【００２２】
(B)洗車中の洗浄水使用行程（図２）
洗車中の洗浄水供給ノズルと洗車ブラシ１４を用いた洗浄水使用行程（洗浄用ブラッシング行程）で、洗車ブラシ１４と乾燥用エアノズル１５の間に設置された防音カーテン２２を、図２に示す如く、車両１の上面に合せて昇降動作する。即ち、洗車機１０が車両１に対して走行するに従い、防音カーテン２２の設置位置に対応する車両１の上面高さに応じてカーテン巻取装置３１を制御し、防音カーテン２２の下端を車両１の上面に可及的隙間なく合せるように昇降動作する。防音カーテン２２が防風カーテンとして機能し、洗車室１３の内部における外気の風の通り抜けを遮断するものになり、洗車室１３の周辺に装備してある洗車用機器に付着等していた水の気化熱による凍結を抑制できる。
【００２３】
また、防音カーテン２２は、洗車ブラシ１４と乾燥用エアノズル１５の間に設置されているから、洗車ブラシ１４から飛散する洗浄水が、乾燥用エアノズル１５による車両の乾燥域へ及ぶのを防止できる。このとき、洗車ブラシ１４とともに乾燥用エアノズル１５も駆動し、洗車ブラシ１４により洗浄ブラッシングされた車両１の表面を、防音カーテン２２により仕切られた乾燥用エアノズル１５による乾燥域で直ちに乾燥処理しても良い。尚、乾燥用エアノズル１５を駆動する乾燥行程では、下記(C)の如くに両防音カーテン２１、２２を昇降動作する。
【００２４】
(C)洗車中の乾燥行程（図３）
洗車中の乾燥用エアノズル１５を用いた乾燥行程では、両防音カーテン２１、２２を、図３に示す如く、車両１の上面に合せて昇降動作する。即ち、洗車機１０が車両１に対して走行するに従い、各防音カーテン２１、２２の設置位置に対応する車両１の上面高さに応じてカーテン巻取装置３１を制御し、各防音カーテン２１、２２の下端を車両１の上面に可及的隙間なく合せるように昇降動作する。両防音カーテン２１、２２は、乾燥用エアノズル１５が発生する音を外部に対し遮断する。
【００２５】
両防音カーテン２１、２２は、防風カーテンとしても機能し、洗車室１３の内部における風（外気の風、又は洗車中の乾燥用エアノズルからの風）の通り抜けを遮断し、洗車室１３の周辺に装備してある洗車用機器に付着等していた水の気化熱による凍結を抑制できる。
【００２６】
本実施例によれば以下の作用効果を奏する。
(a)洗車中の乾燥行程で車両１の上面に合せて、乾燥用エアノズル１５を前後から挟む前後の防音カーテン２１、２２を昇降動作し、乾燥用エアノズル１５が発生する音を両防音カーテン２１、２２により外部に対し遮断する。従って、乾燥用エアノズル１５が発生する音が外部に放出するのを防ぎ、洗車場の近隣に対する騒音レベルを低減できる。
【００２７】
(b)寒冷地における洗車中の乾燥行程で、車両１の上面に合せて昇降動作する防音カーテン２１、２２が、洗車室１３の内部における風（外気の風、又は洗車中の乾燥用エアノズル１５からの風）の通り抜けも防ぎ、洗車室１３の周辺に装備してある洗車用機器に付着等していた水の気化熱による凍結を抑制できる。水配管の凍結、各種センサの凍結、洗車ブラシ１４の凍結を防止できる。
【００２８】
(c)洗車機１０が車両１に対して相対移動するとき、洗車制御装置３０が、車両高さ検出装置４１と走行位置検出装置４２の検出結果に基づき、防音カーテン２１、２２を車両１の上面に合せて昇降動作できる。
【００２９】
(d)洗車室１３の内部に洗車ブラシ１４を装備してなり、両防音カーテン２１、２２のうちの一方の防音カーテン２２が乾燥用エアノズル１５と洗車ブラシ１４との間に設置され、この乾燥用エアノズル１５と洗車ブラシ１４との間に設置された防音カーテン２２が、洗車中の洗浄ブラッシング行程で車両１の上面に合せて昇降動作する。従って、洗車ブラシ１４から飛散する洗浄水が、乾燥用エアノズル１５による車両１の乾燥域へ及ぶのを防止できる。
【００３０】
(e)寒冷地における洗車中の洗浄ブラッシング行程で、車両１の上面に合せて昇降動作する防音カーテン２２が、洗車室１３の内部における外気の風の通り抜けを防ぎ、洗車室１３の周辺に装備してある洗車用機器に付着等していた水の気化熱による凍結を抑制できる。特に、洗車ブラシ１４に供給される洗浄水の気化熱による凍結を抑制できる。
【００３１】
（実施例２）（図４、図５）
実施例２の洗車機１０Ａが実施例１の洗車機１０と異なる点は、洗車機１０において洗車ブラシ１４と乾燥用エアノズル１５の間に設置されていた防音カーテン２２を、図４に示す如く、洗車室１３の入口１２Ａに設置替えしたことにある。
【００３２】
洗車していないとき、両防音カーテン２１、２２の少なくとも一方を下降端に位置付け、それらの防音カーテン２１、２２を防風カーテンとして機能できる。
【００３３】
洗車中の洗浄水使用行程でも、両防音カーテン２１、２２の少なくとも一方を下降端に位置付け、それら防音カーテン２１、２２を防風カーテンとして機能できる。
【００３４】
洗車中の乾燥行程では、両防音カーテン２１、２２を、図５に示す如く、車両１の上面に合せて昇降動作し、乾燥用エアノズル１５が発生する音を外部に対し遮断する。尚、両防音カーテン２１、２２は防風カーテンとしても機能する。図５の洗車機１０Ａは、図４の洗車機１０Ａと同一であり、洗車ブラシ１４、車両高さ検出装置４１等は図示省略されている。
【００３５】
以上、本発明の実施例を図面により詳述したが、本発明の具体的な構成はこの実施例に限られるものではなく、本発明の要旨を逸脱しない範囲の設計の変更等があっても本発明に含まれる。例えば、洗車機１０、１０Ａにおいて、洗車ブラシ１４は高圧水噴射ノズルを用いた高圧水噴射洗浄装置に代えることができる。防音カーテン２２は高圧水噴射洗浄装置と乾燥用エアノズル１５との間に設置できる。
【図面の簡単な説明】
【００３６】
【図１】図１は実施例１の洗車機の防音装置を示す模式図である。
【図２】図２は洗車中の洗車ブラッシング行程の防音装置を示す模式図である。
【図３】図３は洗車中の乾燥行程の防音装置を示す模式図である。
【図４】図４は実施例２の洗車機の防音装置を示す模式図である。
【図５】図５は洗車中の乾燥行程の防音装置を示す模式図である。
【符号の説明】
【００３７】
１  車両
１０、１０Ａ  洗車機
１２Ａ  入口
１２Ｂ  出口
１３  洗車室
１４  洗車ブラシ
１５  乾燥用エアノズル
２１、２２  防音カーテン
３０  洗車制御装置
４１  車両高さ検出装置
４２  走行位置検出装置
【図１】
2008049913.tif 000003
【図２】
2008049913.tif 000004
【図３】
2008049913.tif 000005
【図４】
2008049913.tif 000006
【図５】
2008049913.tif 000007